(57)【要約】【課題】カメラユニットの着脱作業を容易に行うことができるとともに、カメラユニットのガタつきを抑えることができるカメラユニットの固定構造を提供する。【解決手段】眼鏡型のフレーム４にカメラユニット７を固定するカメラ固定構造であって、カメラユニット７に設けられ、フレーム４が嵌合可能な間隔を隔てて対向する少なくとも一対の係止片である係止片部２２を有する取付部１０を備え、係止片部２２は、対向する係止片部２２とともにフロント部１２の幅よりも狭い間隙を形成する係止爪２３を含み、取付部１０は、フレーム４への押圧作用による係止片部２２の弾性変形により、互いに対向する係止爪２３の間の間隙を介して互いに対向する係止片部２２の間にフレーム４を嵌合させ、互いに対向する係止片部２２によってフレーム４を挟み込んだ状態で、カメラユニット７をフレーム４に着脱可能に固定する。【選択図】図５
2011180414.tif 000002
【特許請求の範囲】
【請求項１】
使用者の頭部に装着される眼鏡型のフレームにカメラユニットを固定するカメラユニットの固定構造であって、
前記カメラユニットに設けられ、前記フレームが嵌合可能な間隔を隔てて対向する少なくとも一対の係止片を有する取付部を備え、
前記係止片は、対向する前記係止片とともに前記フレームの幅よりも狭い間隙を形成する係止爪を含み、
前記取付部は、前記フレームへの押圧作用による前記係止片の弾性変形により、互いに対向する前記係止爪の間の前記間隙を介して互いに対向する前記係止片の間に前記フレームを嵌合させ、互いに対向する前記係止片によって前記フレームを挟み込んだ状態で、前記カメラユニットを前記フレームに着脱可能に固定する、カメラユニットの固定構造。
【請求項２】
前記取付部は、
互いに対向する前記係止片の間に前記フレームが嵌合した状態で弾性により前記フレームを前記係止爪側に押圧して前記係止爪との間で前記フレームを挟持する押圧片を有する、請求項１に記載のカメラユニットの固定構造。
【請求項３】
前記フレームは、使用者の顔を左右両側から挟む一対のテンプル部、及びこれら一対のテンプル部の一端側が連結されるフロント部を有し、
前記取付部は、前記フロント部の左右中央部にて、前記カメラユニットを前記フレームに固定する、請求項１又は請求項２に記載のカメラユニットの固定構造。
【請求項４】
前記フレームは、使用者の顔を左右両側から挟む一対のテンプル部、及びこれら一対のテンプル部の一端側が連結されるフロント部を有し、
前記取付部は、前記フロント部の左右両端部にて、前記カメラユニットを前記フレームに固定する、請求項１又は請求項２に記載のカメラユニットの固定構造。
【請求項５】
前記取付部は、
前記カメラユニットを構成するケーシング部材との間に、前記カメラユニットが有するケーブルを保持するための空間を形成するケーブル保持片を有する、請求項１〜４のいずれか１項に記載のカメラユニットの固定構造。
【請求項６】
前記取付部は、
前記カメラユニットが前記フレームに装着された状態となることで、前記カメラユニットを通電状態とする通電機能部を有する、請求項１〜５のいずれか１項に記載のカメラユニットの固定構造。
【請求項７】
前記取付部は、前記カメラユニットとは別体の部品により構成される、請求項１〜６のいずれか１項に記載のカメラユニットの固定構造。
【発明の詳細な説明】
【技術分野】
【０００１】
本発明は、眼鏡型のフレームにカメラユニットを固定するカメラユニットの固定構造に関する。
【背景技術】
【０００２】
近年、使用者の頭部に装着されるタイプの画像表示装置であるヘッドマウントディスプレイ（以下「ＨＭＤ」ともいう。）が知られている。ＨＭＤは、一般的に、使用者の眼前に位置して使用者に認識させる画像を投影する投影装置と、この投影装置を使用者の眼前に位置するように支持するフレームとを備える。そして、ＨＭＤは、フレームによって使用者の頭部に装着された状態で、投影装置から画像光を出射して使用者の瞳孔に入射させて網膜に直接結像することで、使用者に画像を認識させる。
【０００３】
このようなＨＭＤには、例えばＣＣＤカメラのような撮像装置を含むカメラユニットが搭載されるものがある。カメラユニットにより撮像された画像は、例えば、投影装置によって使用者の眼に投影させられることで、使用者に認識される。
【０００４】
このようにＨＭＤに搭載されるカメラユニットは、ＨＭＤの使用時において常に必要なものではない。また、ＨＭＤに搭載されるカメラユニットは、その重さにより、ＨＭＤの使用者の疲労を増加させる要因となる可能性がある。したがって、ＨＭＤに搭載されるカメラユニットについては、ＨＭＤのフレーム等に対して着脱可能な構成であることが望まれる。
【０００５】
特許文献１には、使用者の頭部に装着される頭部装着ユニットと、この頭部装着ユニットに着脱自在に設けられる撮像ユニットとを含む構成が開示されている。特許文献１に記載されている頭部装着ユニットは、使用者の頭部を保護するヘルメットの機能を備える。
【０００６】
一方で、ＨＭＤのフレームとしては、装着が容易であることや、投影装置を使用者の眼前に比較的正確に位置させることができること等の観点から、眼鏡型のフレームが好適に用いられている（例えば、特許文献２参照。）。眼鏡型のフレームを備えるＨＭＤにおいて、カメラユニットを着脱可能な構成としようとした場合、上記のとおりヘルメットの機能を備えるような頭部装着ユニットを採用する特許文献１の技術では、対応が困難である。そこで、眼鏡型フレームにカメラユニットを着脱可能に固定するに際しては、ネジ等の締結具やクリップ等の挟み具を用いる一般的な固定方法による対応が考えられる。
【先行技術文献】
【特許文献】
【０００７】
【特許文献１】特開２００４−３３６１２１号公報
【特許文献２】特開２００８−１７６０９６号公報
【発明の概要】
【発明が解決しようとする課題】
【０００８】
しかしながら、ネジ等の締結具を用いる固定方法によれば、カメラユニットをフレームに対してしっかりと固定できてカメラユニットの位置決めが容易であるものの、カメラユニットの固定や取外し等の着脱作業が煩わしいという問題がある。この点、クリップ等の挟み具を用いる方法は締結具を用いる方法と比べて簡便な固定方法であるため、挟み具を用いる方法によれば、カメラユニットの着脱作業を手軽に行うことができる。しかし、クリップ等の挟み具を用いる方法によれば、フレームに固定されるカメラユニットにガタつきが生じやすく、フレームに対するカメラユニットの位置が決まりにくいという問題がある。
【０００９】
本発明は、上記のような事情に鑑みてなされたものであって、カメラユニットの着脱作業を容易に行うことができるとともに、カメラユニットのガタつきを抑えることができるカメラユニットの固定構造を提供する。
【課題を解決するための手段】
【００１０】
上記課題を解決するために、請求項１に記載のカメラユニットの固定構造は、使用者の頭部に装着される眼鏡型のフレームにカメラユニットを固定するカメラユニットの固定構造であって、前記カメラユニットに設けられ、前記フレームが嵌合可能な間隔を隔てて対向する少なくとも一対の係止片を有する取付部を備え、前記係止片は、対向する前記係止片とともに前記フレームの幅よりも狭い間隙を形成する係止爪を含み、前記取付部は、前記フレームへの押圧作用による前記係止片の弾性変形により、互いに対向する前記係止爪の間の前記間隙を介して互いに対向する前記係止片の間に前記フレームを嵌合させ、互いに対向する前記係止片によって前記フレームを挟み込んだ状態で、前記カメラユニットを前記フレームに着脱可能に固定するものである。
【００１１】
また、請求項２に記載のカメラユニットの固定構造は、請求項１に記載のカメラユニットの固定構造において、前記取付部は、互いに対向する前記係止片の間に前記フレームが嵌合した状態で弾性により前記フレームを前記係止爪側に押圧して前記係止爪との間で前記フレームを挟持する押圧片を有するものである。
【００１２】
また、請求項３に記載のカメラユニットの固定構造は、請求項１又は請求項２に記載のカメラユニットの固定構造において、前記フレームは、使用者の顔を左右両側から挟む一対のテンプル部、及びこれら一対のテンプル部の一端側が連結されるフロント部を有し、前記取付部は、前記フロント部の左右中央部にて、前記カメラユニットを前記フレームに固定するものである。
【００１３】
また、請求項４に記載のカメラユニットの固定構造は、請求項１又は請求項２に記載のカメラユニットの固定構造において、前記フレームは、使用者の顔を左右両側から挟む一対のテンプル部、及びこれら一対のテンプル部の一端側が連結されるフロント部を有し、前記取付部は、前記フロント部の左右両端部にて、前記カメラユニットを前記フレームに固定するものである。
【００１４】
また、請求項５に記載のカメラユニットの固定構造は、請求項１〜４のいずれか１項に記載のカメラユニットの固定構造において、前記取付部は、前記カメラユニットを構成するケーシング部材との間に、前記カメラユニットが有するケーブルを保持するための空間を形成するケーブル保持片を有するものである。
【００１５】
また、請求項６に記載のカメラユニットの固定構造は、請求項１〜５のいずれか１項に記載のカメラユニットの固定構造において、前記取付部は、前記カメラユニットが前記フレームに装着された状態となることで、前記カメラユニットを通電状態とする通電機能部を有するものである。
【００１６】
また、請求項７に記載のカメラユニットの固定構造は、請求項１〜６のいずれか１項に記載のカメラユニットの固定構造において、前記取付部は、前記カメラユニットとは別体の部品により構成されるものである。
【発明の効果】
【００１７】
本発明によれば、カメラユニットの着脱作業を容易に行うことができるとともに、カメラユニットのガタつきを抑えることができる。
【図面の簡単な説明】
【００１８】
【図１】本発明の一実施形態に係るＨＭＤの全体的な構成を示す図。
【図２】本発明の一実施形態に係るカメラユニットの固定構造を示す平面図。
【図３】本発明の一実施形態に係るカメラユニットの固定構造を示す正面図。
【図４】本発明の第一実施形態に係る取付部の構成を示す斜視図。
【図５】本発明の第一実施形態に係る取付部の構成を示す一部断面側面図。
【図６】本発明の第一実施形態に係る取付部の構成を示す平面図。
【図７】本発明の第一実施形態に係る取付部の構成を示す底面図。
【図８】本発明の第一実施形態に係る取付部の構成を示す正面図。
【図９】本発明の第一実施形態に係る取付部の構成を示す一部断面斜視図。
【図１０】本発明の第一実施形態に係る取付部の作用についての説明図。
【図１１】本発明の第一実施形態に係る取付部の作用についての説明図。
【図１２】本発明の第一実施形態に係る取付部の変形例を示す正面図。
【図１３】本発明の第一実施形態に係る取付部の変形例を示す正面図。
【図１４】本発明の第二実施形態に係る取付部の構成を示す斜視図。
【図１５】本発明の第二実施形態に係る取付部の構成を示す側面一部断面図。
【図１６】本発明の第二実施形態に係る取付部の構成を示す平面図。
【図１７】本発明の第二実施形態に係る取付部の構成を示す底面図。
【図１８】本発明の第三実施形態に係る取付部の構成を示す正面一部断面図。
【図１９】本発明の第三実施形態に係る取付部の構成を示す正面一部断面図。
【図２０】本発明の第四実施形態に係る取付部の構成を示す正面図。
【図２１】本発明の第四実施形態に係る取付部の構成を示す正面図。
【図２２】本発明の一実施形態に係るカメラユニットの固定構造を示す正面図。
【発明を実施するための形態】
【００１９】
本発明は、眼鏡型のフレームにカメラユニットを固定する構成において、カメラユニットに設けられるフレームへの取付部の構造を工夫することにより、カメラユニットの容易な着脱作業とガタつきのない固定状態を実現しようとするものである。以下、本発明の実施の形態について説明する。
【００２０】
［ＨＭＤの構成］
本発明の第一実施形態について説明する。まず、本実施形態に係るカメラユニットの固定構造を備えるＨＭＤの構成について、図１を用いて説明する。図１に示すように、本実施形態に係るＨＭＤ１は、投影対象を、ＨＭＤ１の使用者（以下単に「使用者」という。）の眼Ｙの網膜とし、走査したレーザ光を瞳孔から入射させて網膜上に投影することにより、使用者に画像を視認させる。つまり、ＨＭＤ１は、微弱な光を高速で走査しながら使用者の網膜に照射することで、網膜上に走査された光の残像を映像として使用者に認識させる網膜走査型の画像表示装置である。
【００２１】
ＨＭＤ１は、コントロールユニット２と、投影装置としての投影ユニット３と、眼鏡型のフレーム４とを備える。コントロールユニット２は、画像信号に応じた強度のレーザ光を画像光として出射する。コントロールユニット２は、記憶部を内蔵し、この記憶部に記憶された情報に基づいて画像信号を形成する。コントロールユニット２は、形成した画像信号に応じた強度のレーザ光を画像光として伝送ケーブル５へ出射する。
【００２２】
具体的には、コントロールユニット２は、ＨＭＤ１の主な動作を制御する制御部２ａと、画像光としてのレーザ光を生成する光源部２ｂとを有する。制御部２ａは、コントロールユニット２に内蔵される記憶部に記憶されている制御プログラムにしたがって所定の処理を実行することにより、ＨＭＤ１を制御する。制御部２ａは、データ通信用のバスにより接続されるＣＰＵ、フラッシュメモリ、ＲＡＭ、ＶＲＡＭ、複数の入出力インターフェース等の各種機能部分を有し、バスを介して各種情報の送受信を行う。制御部２ａは、コントロールユニット２において画像信号を形成する部分である。制御部２ａは、形成した画像信号を光源部２ｂに供給する。
【００２３】
光源部２ｂは、制御部２ａから供給される画像信号から画像情報を画素単位で読み出し、読み出した画素単位の画像情報に基づいて、Ｒ（赤色）、Ｇ（緑色）、及びＢ（青色）の色毎に強度変調されたレーザ光を生成して出射する。したがって、光源部２ｂは、Ｒ（赤色）、Ｇ（緑色）、及びＢ（青色）の各色の光源等、各色のレーザ光を生成するための構成を有する。光源部２ｂから出射されるレーザ光が、コントロールユニット２からの画像光として伝送ケーブル５に出射される。
【００２４】
コントロールユニット２から出射された画像光は、伝送ケーブル５によって投影ユニット３に伝送される。伝送ケーブル５は、コントロールユニット２から出射された画像光を投影ユニット３に伝送する光ファイバケーブルを有する。
【００２５】
投影ユニット３は、コントロールユニット２にてＲ（赤色）、Ｇ（緑色）、及びＢ（青色）の色毎に強度変調された画像光を、２次元方向に走査し、使用者の眼Ｙに入射させる。つまり、投影ユニット３は、伝送ケーブル５により伝送されてきた画像光を、使用者が表示画像として認識できるように走査する。
【００２６】
具体的には、投影ユニット３は、コントロールユニット２で生成され伝送ケーブル５を介して入射するレーザ光を平行光化するための光学系や、レーザ光を画像表示のために所定の方向に走査する走査部や、投影ユニット３における各部の間でレーザ光を中継するリレー光学系等を含む。
【００２７】
投影ユニット３は、使用者の眼Ｙに画像光を入射させるためのハーフミラー６を有する。ハーフミラー６は、使用者の眼Ｙの前方に位置するように設けられる。投影ユニット３は、ハーフミラー６により、出射した画像光Ｌ１を反射させて使用者の眼Ｙに入射させる。また、ハーフミラー６は、外光Ｌ２を透過させて使用者の眼Ｙに入射させる。したがって、使用者は、外光Ｌ２により認識される背景に、画像光Ｌ１による画像を重ねて視認することができる。
【００２８】
このように、本実施形態のＨＭＤ１は、投影ユニット３から出射される画像光Ｌ１を使用者の眼Ｙに走査しつつ投射するとともに、外光Ｌ２を透過させるシースルー型である。なお、本発明に係るＨＭＤは、シースルー型である必要はない。
【００２９】
フレーム４は、投影ユニット３を支持するとともに、使用者の頭部に装着される部分である。フレーム４は、使用者の頭部に装着された状態で、前述したような投影ユニット３による使用者の眼Ｙへの画像光の走査ができるように、投影ユニット３を支持する。本実施形態のＨＭＤ１では、投影ユニット３は、フレーム４に対して、フレーム４を頭部に装着した状態の使用者の左側に取り付けられる。
【００３０】
また、ＨＭＤ１は、カメラユニット７を備える。図２及び図３に示すように、カメラユニット７は、使用者の周囲等の外界を撮像する撮像装置８と、撮像装置８を内装するケーシング９とを有する。撮像装置８は、例えばＣＣＤ（Ｃｈａｒｇｅ  Ｃｏｕｐｌｅｄ  Ｄｅｖｉｃｅ）カメラやＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）カメラ等である。
【００３１】
撮像装置８は、ケーブルを介してコントロールユニット２の制御部２ａ（図１参照）に接続される。撮像装置８により取得された画像データは、ケーブルによって制御部２ａに入力される。制御部２ａは、撮像装置８から供給される画像データに基づいて画像信号を生成する。つまり、制御部２ａから光源部２ｂに供給される画像信号には、撮像装置８から供給される画像データに基づいて生成される画像信号が含まれる。したがって、撮像装置８により撮像される画像は、投影ユニット３によって使用者の眼に投影され、使用者により認識される。
【００３２】
ケーシング９は、撮像装置８を収容するとともに、カメラユニット７の外装を構成する。ケーシング９は、撮像装置８の撮像面をケーシング９の外部に臨ませる開口部９ａを有する。開口部９ａは、ケーシング９のフロント面９ｂに形成される。
【００３３】
以上のように、本実施形態に係るＨＭＤ１は、カメラユニット７を備え、使用者の周囲等の外界を撮像することができる。カメラユニット７は、ＨＭＤ１において眼鏡型のフレーム４に支持された状態で用いられる。以下、本実施形態に係るカメラユニット７の固定構造（以下「カメラ固定構造」という。）について説明する。
【００３４】
本実施形態のカメラ固定構造は、使用者の頭部に装着される眼鏡型のフレーム４にカメラユニット７を固定するものである。カメラ固定構造の説明に際し、まず、カメラユニット７が固定されるフレーム４の構成について説明する。
【００３５】
図１から図３に示すように、フレーム４は、眼鏡型に構成され、上述したように投影ユニット３を支持する。フレーム４は、使用者の顔を左右両側から挟む一対のテンプル部１１と、フロント部１２と、一対のテンプル部１１の一端側をフロント部１２に連結させる連結部１３とを有する。
【００３６】
テンプル部１１は、使用者の頭部に沿うように、フロント部１２に連結される側である前側からその反対側である後側にかけて、一旦外側に向けて膨らみ、その後内側に向かうように、全体として湾曲する形状を有する（図１参照）。
【００３７】
フロント部１２は、フレーム４が使用者に装着された状態で使用者の前側に凸となるように、平面視で全体として弓形に反った形状を有する。つまり、フロント部１２は、一対のテンプル部１１が連結される側を左右両端側とし、中央部分がテンプル部１１の延びる側と反対側である前側に凸となるように緩やかに湾曲した形状を有する（図１及び図２参照）。
【００３８】
フロント部１２は、板状に形成され、その板厚方向に対して垂直な平面に沿って弓形に反った形状を有する。また、フロント部１２は、その中央部分が若干下側に向けて窪むように、板厚方向に緩やかに湾曲する形状を有する（図３参照）。
【００３９】
連結部１３は、テンプル部１１とフロント部１２とを連結させる部分を構成する。連結部１３は、フロント部１２の左右両端部に設けられる。連結部１３は、フロント部１２からテンプル部１１が延びる方向に沿ってフロント部１２から突出するように形成される部分である。
【００４０】
以上のような構成を有するＨＭＤ１のフレーム４に対して、カメラユニット７は、フレーム４のフロント部１２上に支持される。図２に示すように、カメラユニット７のケーシング９は、フレーム４に支持された状態で、平面視で、フロント部１２に沿うように弓形に沿った形状を有する。そして、同じく平面視で、ケーシング９は、フロント部１２の左右方向の長さと略同じ寸法を有し、フレーム４に支持された状態で、フロント部１２の略全体を覆う大きさを有する。
【００４１】
カメラユニット７において、撮像装置８は、ケーシング９の左右略中央位置にて前を向くように配置される。したがって、撮像装置８の撮像面をケーシング９の外部に臨ませる開口部９ａは、カメラユニット７を支持するフレーム４が使用者に装着された状態で、使用者の眉間の上方の位置にて前側に開口する。これにより、使用者の視野と撮像装置８が撮像する視野とが略一致する。そして、使用者は、カメラユニット７によって自己の前方の外界を撮像する。
【００４２】
カメラ固定構造は、カメラユニット７が有する取付部１０により、カメラユニット７をフレーム４に着脱可能に固定する。図２及び図３に示すように、本実施形態のカメラ固定構造においては、取付部１０は、フロント部１２の左右両端部にて、カメラユニット７をフレーム４に固定する。
【００４３】
具体的には、図２及び図３に示すように、取付部１０は、フレーム４のフロント部１２の左右両端部にて、カメラユニット７をフレーム４に固定する。このため、取付部１０は、ケーシング９の左右両端部において、カメラユニット７がフレーム４に支持された状態でフロント部１２の上面１２ａに対向するケーシング９の底面９ｃ側に設けられる。
【００４４】
本実施形態のカメラ固定構造においては、カメラユニット７が有する取付部１０は、ケーシング９とは別体の固定部品２０がカメラユニット７に固定されることにより構成される。
【００４５】
図４から図１０を用いて、カメラユニット７の取付部１０を構成する固定部品２０について説明する。図４から図１０に示すように、固定部品２０は、略矩形板状の基部２１と、フレーム４のフロント部１２を挟み込んだ状態で係止する一対の係止片部２２とを有する。
【００４６】
基部２１は、カメラユニット７に固定される部分である。固定部品２０は、ネジ等の締結具によってカメラユニット７のケーシング９に固定される。このため、固定部品２０の基部２１には、締結具用の孔部２１ａが形成されている。孔部２１ａは、基部２１の略中央部に、板状の基部２１を貫通するように形成される。
【００４７】
基部２１は、カメラユニット７がフレーム４に支持された状態で、フレーム４とカメラユニット７との間に挟まれる。詳細には、基部２１は、フレーム４のフロント部１２の上面１２ａとケーシング９の底面９ｃとの間に挟まれる。
【００４８】
このため、ケーシング９において底面９ｃを形成する底部９ｄには、固定部品２０をケーシング９に固定するための締結具用の孔部９ｅが形成されている（図５参照）。つまり、孔部９ｅは、基部２１に形成される孔部２１ａと連通した状態で、締結具を受け入れる。このように、固定部品２０は、基部２１に形成される孔部２１ａが用いられ、ネジ等の締結具によって、カメラユニット７のケーシング９に固定される。
【００４９】
係止片部２２は、基部２１から下側に向けて基部２１に対して略垂直方向に突出するように形成される壁状の部分である。一対の係止片部２２は、眼鏡型のフレーム４の前後方向から、フロント部１２を挟み込む。このため、一方の係止片部２２は、基部２１の前端部に設けられ、他方の係止片部２２は、基部２１の後端部に設けられる。つまり、一対の係止片部２２は、前後方向に対向する互いに略平行な板状の部分である。
【００５０】
一対の係止片部２２は、フレーム４のフロント部１２が嵌合可能な間隔を隔てて対向する。一対の係止片部２２において互いに対向する内側面２２ａと、基部２１の下側面２１ｂとの間の空間が、フレーム４のフロント部１２が保持される空間である（図５参照）。ここで、基部２１の下側面２１ｂは、フロント部１２の上面１２ａに対向する面である。そして、各係止片部２２は、互いに対向する内側面２２ａと基部２１の下側面２１ｂとの間の空間（以下「フレーム保持空間」という。）に位置するフロント部１２を係止するための係止爪２３を含む。
【００５１】
係止爪２３は、係止片部２２の内側面２２ａに対して略垂直であり、かつ上側を向く面である係止面２３ａを形成する。係止爪２３は、壁状の部分である係止片部２２の下端部において、対向する係止片部２２側に向けて突出するような段差部を形成する。
【００５２】
係止爪２３は、対向する係止片部２２の係止爪２３ととともにフレーム４の幅よりも狭い間隙（以下「爪間間隙」という。）を形成する。ここで、フレーム４の幅は、フロント部１２の前後方向の寸法である。図５に示すように、爪間間隙は、対向する一対の係止爪２３の間の寸法（符号Ｄ１参照）であり、フレーム保持空間の前後方向の寸法よりも小さい。言い換えると、爪間間隙の寸法（符号Ｄ１参照）は、対向する一対の係止片部２２の内側面２２ａ間の間隔よりも狭い。
【００５３】
そして、フレーム保持空間に保持されるフロント部１２の前後方向の寸法は、対向する一対の係止片部２２の内側面２２ａ間の間隔に対して、フロント部１２の前後端が内側面２２ａに略接触する寸法、あるいはフロント部１２の前後端が内側面２２ａとの間に若干の隙間を隔てる寸法である。また、同じくフロント部１２の前後方向の寸法は、爪間間隙の寸法（符号Ｄ１参照）よりも大きい。
【００５４】
このように係止爪２３を有する一対の係止片部２２により、フロント部１２が前後方向から挟み込まれた状態で、カメラユニット７がフレーム４に固定される。一対の係止片部２２は、フロント部１２への押圧作用による弾性変形により、爪間間隙を介して係止片部２２の間であるフレーム保持空間にフロント部１２を嵌合させ、フロント部１２を挟み込んだ状態で係止する。
【００５５】
詳細には、図１０に示すように、固定部品２０のフレーム保持空間の外側であって基部２１の下側に位置するフロント部１２に対して、固定部品２０とフレーム４との相対的な移動により、固定部品２０が押し付けられる（矢印Ａ参照）。これにより、図１１に示すように、固定部品２０が、一対の係止片部２２の爪間間隙が広がるように弾性変形することで、フロント部１２のフレーム保持空間内への進入が許容される。
【００５６】
より詳細には、一対の係止片部２２の間における爪間間隙の寸法は、フロント部１２の前後方向の寸法よりも小さい。このため、固定部品２０が変形していない状態では、フロント部１２は爪間間隙からフレーム保持空間内に進入することができない。そこで、一対の係止片部２２を有する固定部品２０が、フロント部１２に対する押圧作用によって弾性変形することで、フロント部１２のフレーム保持空間への進入が許容される。したがって、フロント部１２のフレーム保持空間内への嵌合に際して固定部品２０において生じる弾性変形は、主に係止片部２２の部分についてのものである。
【００５７】
そして、固定部品２０のフロント部１２に対する押付けにより固定部品２０が弾性変形した状態から、さらなる押付けによってフロント部１２が係止爪２３を乗り越えて係止爪２３よりも上側に達することで、フロント部１２は、フレーム保持空間に嵌合し、一対の係止片部２２の間において係止爪２３の係止面２３ａによって係止された状態となる（図５参照）。
【００５８】
固定部品２０のフロント部１２に対する押圧作用にともなう固定部品２０の弾性変形を促すため、係止片部２２の先端（下端）であって、他方の係止片部２２に対向する側の角部には、面取部２２ｂが形成されている。一対の係止片部２２の面取部２２ｂは、下側から上側にかけて爪間間隙の寸法を徐々に狭くする斜面を形成する部分である。
【００５９】
このように、固定部品２０は、フレーム４のフロント部１２を嵌める際に弾性変形し、パチッと嵌る構造を有する。このような固定部品２０がカメラユニット７のケーシング９に固定されことで構成される取付部１０は、カメラユニット７に設けられ、フレーム４が嵌合可能な間隔を隔てて対向する少なくとも一対の係止片として、固定部品２０において形成される一対の係止片部２２を有する。係止片部２２は、対向する係止片部２２とともにフレーム４のフロント部１２の幅よりも狭い爪間間隙を形成する係止爪２３を含む。
【００６０】
そして、取付部１０は、フレーム４への押圧作用による係止片部２２の弾性変形により、爪間間隙を介して互いに対向する係止片部２２の間にフレーム４を嵌合させる。これにより、取付部１０は、互いに対向する係止片部２２によってフレーム４を挟み込んだ状態で、カメラユニット７をフレーム４に着脱可能に固定する。以上のように、固定部品２０によって構成される取付部１０を有するカメラユニット７が、フレーム４のフロント部１２に押し付けられることにより、取付部１０によってフレーム４に固定される。
【００６１】
取付部１０を構成する固定部品２０は、例えばＡＢＳ樹脂やポリアセタール等の樹脂材料により一体成形されることで、フレーム４に対する嵌合に必要な弾性変形を生じさせる部品として構成される。ただし、固定部品２０を構成する材料は、固定部品２０のフレーム４に対する嵌合に必要な弾性変形が得られるものであれば限定されない。
【００６２】
また、固定部品２０は、フロント部１２を上面１２ａ側から押圧するための押圧片部２４を有する。押圧片部２４は、略矩形板状の基部２１の対向する一対の係止片部２２が形成される辺部以外の対向する一対の片部の側面から突出する略矩形板状の部分である。つまり、本実施形態では、押圧片部２４は、基部２１の左右両側面に略矩形板状に突出形成される。したがって、本実施形態の固定部品２０は、二つの押圧片部２４を有し、二つの押圧片部２４は、基部２１に対して両翼状に形成される。
【００６３】
押圧片部２４は、基部２１に繋がる側である根元側から突出方向の先端側にかけて徐々に下がるように傾斜している。押圧片部２４は、フロント部１２の上面１２ａに対向する下側の面を押圧面２４ａとして、フロント部１２を押圧する。つまり、押圧片部２４は、押圧面２４ａをフロント部１２の上面１２ａに接触させた状態で、フロント部１２を押圧する。
【００６４】
押圧片部２４は、その弾性によってフロント部１２を押圧する。押圧片部２４によって押圧されるフロント部１２は、係止片部２２の係止爪２３によって係止される。つまり、押圧片部２４によって押圧されるフロント部１２は、押圧片部２４の押圧面２４ａと、係止爪２３の係止面２３ａとによって挟まれた状態となる。
【００６５】
したがって、押圧片部２４の押圧面２４ａと係止爪２３の係止面２３ａとの間の寸法（図５、符号Ｄ２参照）は、自然状態の固定部品２０において、フロント部１２の板厚の寸法よりも小さい。これにより、押圧片部２４は、フレーム保持空間にフロント部１２が嵌合することにより上に押し上げられて弾性変形し、フレーム保持空間に保持された状態のフロント部１２を、係止爪２３との間で押さえ付ける（図８、矢印Ｐ参照）。
【００６６】
このように押圧片部２４を有する固定部品２０によって構成される取付部１０は、互いに対向する一対の係止片部２２の間にフレーム４が嵌合した状態で弾性によりフレーム４を係止爪２３側に押圧して係止爪２３との間でフレーム４を挟持する押圧片として、固定部品２０において形成される一対の押圧片部２４を有する。なお、本実施形態では、固定部品２０により構成される取付部１０は、二つの押圧片部２４を有するが、押圧片部２４の個数は限定されず１個でも３個以上でもよい。
【００６７】
ここで、押圧片部２４の変形例について説明する。まず、図１２により、押圧片部２４の第一の変形例について説明する。図１２に示すように、本例に係る押圧片部２４は、突片部２４ｂを有する。突片部２４ｂは、押圧片部２４の先端部にて、上側に突出する部分である。突片部２４ｂは、板状の押圧片部２４において、先端部が略直角方向に折り曲げられたような形状を有する。
【００６８】
突片部２４ｂは、上述したようにフロント部１２を押圧する押圧片部２４において、必要以上に押圧片部２４が弾性変形することを防止するストッパの機能を果たす。突片部２４ｂは、カメラユニット７のケーシング９の底面９ｃに当接することで、押圧片部２４がフロント部１２に対する押圧力を増す方向に弾性変形することを規制する。ここで、押圧片部２４の弾性変形について、押圧片部２４がフロント部１２に対する押圧力を増す方向とは、押圧片部２４の押圧面２４ａと係止爪２３の係止面２３ａとの間隔が開く方向である。
【００６９】
このように、押圧片部２４が突片部２４ｂを有することで、押圧片部２４の過度な撓みを抑制することができ、弾性限界に達すること等により押圧片部２４の弾性が低下することを防止することができる。つまり、突片部２４ｂによれば、押圧片部２４の弾性を維持することができ、押圧片部２４の機能についての耐性を向上させることができる。
【００７０】
次に、図１３により、押圧片部２４の第二の変形例について説明する。図１３に示すように、本例に係る押圧片部２４は、撓み部２４ｃを有する。撓み部２４ｃは、押圧片部２４における他の部分よりも板厚が薄い部分である。
【００７１】
撓み部２４ｃは、押圧片部２４の上側の面から、押圧片部２４の幅方向に沿って直線状に突出する部分を形成するように、押圧片部２４の突出方向の中途部が折り曲げられたような形状を有する。したがって、本例では、押圧片部２４が撓み部２４ｃを有することで、押圧片部２４は、図１３に示す正面視で略ハット状となる外形を有する。ここで、押圧片部２４の幅方向は、例えば図６に示す押圧片部２４の平面視で、押圧片部２４の基部２１からの突出方向に対して垂直な方向であり、図６においては上下方向である。
【００７２】
このように、押圧片部２４が撓み部２４ｃを有することで、押圧片部２４を撓みやすい構造とすることができる。つまり、撓み部２４ｃは、押圧片部２４において部分的に剛性を低下させる部分である。撓み部２４ｃによれば、押圧片部２４が撓みやすくなるので、固定部品２０におけるフレーム保持空間にフロント部１２を嵌合させるために必要な、押圧片部２４による押圧力に抗してカメラユニット７を押さえ付ける力を小さくすることができる。結果として、カメラユニット７をフレーム４に押し付けることで行われるカメラユニット７の固定作業の負担を軽減することができる。
【００７３】
また、固定部品２０は、カメラユニット７の撮像装置８に接続されるケーブルをケーシング９との間で保持するための保持片部２５を有する。保持片部２５は、基部２１から上側に向けて基部２１に対して略垂直方向に突出するように形成される壁状の部分である。保持片部２５は、基部２１の後端部に設けられる。したがって、保持片部２５は、固定部品２０の側面視において、基部２１とともに略Ｌ字状となるように形成される。保持片部２５は、係止片部２２と略同じ幅寸法を有する。
【００７４】
図５に示すように、保持片部２５は、カメラユニット７のケーシング９との間に、撮像装置８に接続されるケーブル１８を保持する空間（以下「ケーブル保持空間」という。）を形成する。詳細には、ケーブル空間は、ケーシング９の後壁部９ｆにより形成される背面９ｇと、保持片部２５の前側の面である保持面２５ａとの間に形成される。ケーブル１８は、ケーブル保持空間内を通ることで、ケーシング９と保持片部２５とによって保持される。
【００７５】
保持片部２５は、上端部に、係止突部２５ｂを有する。係止突部２５ｂは、保持片部２５において保持面２５ａからの突出部分を形成する部分であり、板状の保持片部２５の板厚を部分的に厚くする。係止突部２５ｂは、保持片部２５の上端の辺部に沿って直線状に形成される。
【００７６】
保持片部２５とケーシング９との間の隙間は、保持面２５ａから突出する係止突部２５ｂの部分で比較的狭くなる。係止突部２５ｂとケーシング９の背面９ｇとの間の隙間の寸法は、ケーブル１８の直径よりも小さく設定される。また、保持片部２５の係止突部２５ｂ以外の部分と背面９ｇとの間の隙間の寸法は、ケーブル１８の直径よりも大きく設定される。そして、係止突部２５ｂとケーシング９の背面９ｇとの間の空間２５ｃは、ケーブル保持空間に対するケーブル１８の出し入れを行うために用いられる。
【００７７】
具体的には、ケーブル１８は、ケーブル保持空間に対して、空間２５ｃ側から押し入れられる。ケーブル１８の直径よりも小さい隙間の空間２５ｃに、ケーブル１８が押し付けられることで、保持片部２５が、空間２５ｃの隙間の大きさが広がるように弾性変形する（図５、二点鎖線で示す保持片部２５参照）。ここでの保持片部２５の弾性変形は、保持片部２５の基部２１との連結部分を起点とする後側への撓みである。こうした保持片部２５の弾性変形により、ケーブル保持空間内への空間２５ｃ側からのケーブル１８の進入が許容される。
【００７８】
ケーブル１８の空間２５ｃに対する押付けにともなう保持片部２５の弾性変形を促すため、保持片部２５の先端（上端）であって、ケーシング９の背面９ｇに対向する側の角部には、面取部２５ｄが形成されている（図５参照）。面取部２５ｄは、上側から下側にかけて空間２５ｃの隙間の寸法を徐々に狭くする斜面を形成する部分である。
【００７９】
このように保持片部２５を有する固定部品２０によって構成される取付部１０は、カメラユニット７を構成するケーシング部材であるケーシング９との間に、カメラユニット７が有するケーブル１８を保持するための空間を形成するケーブル保持片として、固定部品２０において形成される保持片部２５を有する。なお、ケーブル１８をケーブル保持空間内に位置させる方法としては、上述したように保持片部２５の係止突部２５ｂとケーシング９の背面９ｇとの間の空間２５ｃを介することなく、ケーブル保持空間の保持片部２５とケーシング９との間の隙間がケーブル１８の直径よりも大きい部分に、直接的にケーブル１８を差し込むことで通す方法であってもよい。したがって、保持片部２５においては、係止突部２５ｂはなくてもよい。
【００８０】
本発明の第二実施形態について、図１４から図１７を用いて説明する。なお、本発明の第一実施形態と共通する部分については、同一の符号を用いて説明を省略する。本実施形態において取付部１０を構成する固定部品３０は、第一実施形態の固定部品２０との比較において、主に押圧片部２４の形状の点で異なる。
【００８１】
図１４から図１７に示すように、本実施形態の固定部品３０は、フロント部１２を上面１２ａ側から押圧するための部分として、前後方向に延びる押圧片部３４を有する。固定部品３０においては、基部２１の前端部に設けられる係止片部２２が、基部２１の幅よりも左右方向に突出する延設部２２ｃを有する。このため、本実施形態の固定部品３０では、前側の係止片部２２の幅が、第一実施形態の固定部品２０との比較において大きい。
【００８２】
そして、押圧片部３４は、延設部２２ｃから基部２１と略平行に延出される細長い直方体状の形状を有する。言い換えると、押圧片部３４は、基部２１及び押圧片部３４を含む一体の略矩形板状の部分に、後側から前側に向けて切欠き部３４ｂが形成されることにより得られる突片形状を有する。したがって、押圧片部３４は、固定部品３０の側面視において、前側の係止片部２２とともに略Ｌ字状となるように形成される。
【００８３】
押圧片部３４は、フロント部１２の上面１２ａに対向する下側の面を押圧面３４ａとして、フロント部１２を押圧する。つまり、押圧片部３４は、押圧面３４ａをフロント部１２の上面１２ａに接触させた状態で、フロント部１２を押圧する。
【００８４】
押圧片部３４は、その弾性によってフロント部１２を押圧する。押圧片部３４によって押圧されるフロント部１２は、係止片部２２の係止爪２３によって係止される。つまり、押圧片部３４によって押圧されるフロント部１２は、押圧片部３４の押圧面３４ａと、係止爪２３の係止面２３ａとによって挟まれた状態となる。
【００８５】
したがって、押圧片部３４の押圧面３４ａと係止爪２３の係止面２３ａとの間の寸法（図１５、符号Ｄ３参照）は、自然状態の固定部品３０において、フロント部１２の板厚の寸法よりも小さい。これにより、押圧片部３４は、フレーム保持空間にフロント部１２が嵌合することにより上に押し上げられて弾性変形し、フレーム保持空間に保持された状態のフロント部１２を、係止爪２３との間で押さえ付ける。
【００８６】
このように押圧片部３４を有する固定部品３０によって構成される取付部１０は、一対の係止片部２２の間にフレーム４が嵌合した状態で弾性によりフレーム４を係止爪２３側に押圧して係止爪２３との間でフレーム４を挟持する押圧片として、固定部品３０において形成される一対の押圧片部３４を有する。
【００８７】
本発明の第三実施形態について、図１８及び図１９を用いて説明する。なお、本発明の第一実施形態と共通する部分については、同一の符号を用いて説明を省略する。本実施形態において取付部１０を構成する固定部品４０は、カメラユニット７のフレーム４に対する固定・取外しにより、カメラユニット７のスイッチのオン・オフを切り換えるために用いられる。
【００８８】
図１８及び図１９に示すように、本実施形態の固定部品４０は、カメラユニット７が４に固定されることで、フレーム４との関係においてカメラユニット７を通電させるスイッチ用の部材として機能する。つまり、カメラユニット７がフレーム４に固定されることにより、固定部品４０がフレーム４における所定の場所に接触し、フレーム４に固定された状態のカメラユニット７が通電状態となる。
【００８９】
固定部品４０は、電極配線部４１を有する。電極配線部４１は、固定部品４０において基部２１の内部に埋め込まれた状態で設けられる。固定部品４０は、互いに略平行に配置される一対の電極配線部４１を有する。
【００９０】
一方、フレーム４においては、フロント部１２に、導電体により構成される配線パターン４２が設けられている。配線パターン４２は、フロント部１２において、上面１２ａに形成される凹部１２ｂに嵌め込まれた状態で設けられ、フロント部１２の上面１２ａに露出する。
【００９１】
配線パターン４２が設けられるフレーム４は、金属等の導電性を有する材料により構成される。これにより、固定部品４０内部の電極配線部４１及び配線パターン４２を含む通電経路が確保される。
【００９２】
このような構成により、カメラユニット７単体の状態（図１９参照）から、カメラユニット７がフレーム４に固定されることにともない、固定部品４０の基部２１がフロント部１２の上面１２ａに接触し、電極配線部４１が配線パターン４２に接触する（図１８参照）。これにより、カメラユニット７についての通電状態が得られ、スイッチオンとなる。
【００９３】
本実施形態における通電経路としては、固定部品４０が有する一方の電極配線部４１から、配線パターン４２を介してフレーム４のフロント部１２の部分を通り、固定部品４０が有する他方の電極配線部４１から固定部品４０の外部へと繋がる経路が構成される（図１８、矢印Ｇ参照）。
【００９４】
このように固定部品４０によって構成される取付部１０は、カメラユニット７がフレーム４に装着された状態となることで、カメラユニット７を通電状態とする通電機能部として、フレーム４に設けられる配線パターン４２に対応する電極配線部４１を有する。なお、固定部品４０が有する電極配線部４１は、固定部品４０が部分的に導電性の樹脂材料により構成されること等によって形成されるものであってもよい。つまり、固定部品４０が有する電極配線部４１としては、配線パターン４２及びフレーム４を構成する導電性の材料とともに、カメラユニット７の通電経路を構成することができるものであればよい。
【００９５】
本実施形態の構成によれば、係止片部２２や押圧片部２４等を有する固定部品４０によってカメラユニット７をフレーム４に対してガタつきなくしっかりと固定できるので、カメラユニット７がフレーム４に固定されることで、確実に通電状態を得ることができる。
【００９６】
カメラユニット７のフレーム４に対する固定部においてガタつきがあると、電極配線部４１と配線パターン４２との接触の具合が不安定となり、導通したりしなかったりする状態が発生する。この点、本実施形態の構成によれば、固定部品４０により構成される取付部１０によってカメラユニット７がフレーム４にガタつきなく固定されるので、カメラユニット７がフレーム４に固定された状態で安定した通電状態が得られる。
【００９７】
また、本実施形態の構成によれば、導電性の材料により構成されるフレーム４がないとカメラユニット７を通電状態とすることができない。このため、本実施形態の構成は、カメラユニット７をフレーム４に固定した状態での用途以外の他の用途に使用されることの防止策となる。
【００９８】
本発明の第四実施形態について、図２０及び図２１を用いて説明する。なお、本発明の第一実施形態と共通する部分については、同一の符号を用いて説明を省略する。本実施形態において取付部１０を構成する固定部品５０は、第一実施形態の固定部品２０との比較において、主に押圧片部２４が有する機能の点で異なる。
【００９９】
図２０及び図２１に示すように、本実施形態の固定部品５０は、フロント部１２を上面１２ａ側から押圧する押圧片部５４を用いることで、カメラユニット７のフレーム４に対する固定にともない、カメラユニット７の通電を行う。また、固定部品５０は、押圧片部５４により、カメラユニット７のフレーム４からの取外しにともない、カメラユニット７を非通電状態とする。つまり、本実施形態の取付部１０においては、固定部品５０の押圧片部５４が用いられ、カメラユニット７のフレーム４に対する固定・取外しにより、カメラユニット７のスイッチのオン・オフが切り換えられる。
【０１００】
カメラユニット７の通電・非通電は、カメラユニット７が有する基板６１に対する導電体６２の接触・非接触により切り換わる。ここで、基板６１は、例えばフレキシブルプリント基板等である。また、導電体６２は、例えば透明導電膜等である。
【０１０１】
基板６１は、カメラユニット７のケーシング９内において、所定の位置に固定された状態で設けられる。導電体６２は、基板６１に対する接触状態・非接触状態が切り換わるように、基板６１に対して相対的に移動可能に設けられる。
【０１０２】
本実施形態では、導電体６２は、基板６１の下側に配置され、上下方向に移動可能に設けられることにより、基板６１に対して近接・離間移動可能に設けられる。導電体６２は、外力の作用を受けていない自然状態では、基板６１から離れた位置にある（図２１参照）。つまり、導電体６２が外力の作用を受けていない状態においては、カメラユニット７は非通電状態となる。
【０１０３】
押圧片部５４は、固定部品５０によって構成される取付部１０によりカメラユニット７がフレーム４に固定されることで、導電体６２を押し上げ、基板６１に接触させる。これにより、カメラユニット７が通電状態となる。押圧片部５４は、カメラユニット７のフレーム４への固定にともなって導電体６２を押し上げるための部分として、押上部５４ｂを有する。
【０１０４】
具体的には、押圧片部５４は、図２０等に示すような正面視で、押上部５４ｂの部分を頂点部とする山型の形状を有する。押圧片部５４は、フロント部１２の上面１２ａに対向する下側の面を押圧面５４ａとして、フロント部１２を押圧する。つまり、押圧片部５４は、押圧面５４ａをフロント部１２の上面１２ａに接触させた状態で、フロント部１２を押圧する。押圧面５４ａは、押圧片部５４の先端部に形成される。
【０１０５】
押圧片部５４は、その弾性によってフロント部１２を押圧する。押圧片部５４によって押圧されるフロント部１２は、係止片部２２の係止爪２３によって係止される。つまり、押圧片部５４によって押圧されるフロント部１２は、押圧片部５４の押圧面５４ａと、係止爪２３の係止面２３ａとによって挟まれた状態となる。
【０１０６】
したがって、押圧片部５４の押圧面５４ａと係止爪２３の係止面２３ａとの間の寸法は、自然状態の固定部品５０において、フロント部１２の板厚の寸法よりも小さい。これにより、押圧片部５４は、フレーム保持空間にフロント部１２が嵌合することにより上に押し上げられて弾性変形し、フレーム保持空間に保持された状態のフロント部１２を、係止爪２３との間で押さえ付ける。
【０１０７】
そして、カメラユニット７単体の状態（図２１参照）から、カメラユニット７のフレーム４に対する固定にともない、押圧片部５４が弾性変形する。押圧片部５４は、押上部５４ｂの部分が上向きに変位するように弾性変形し、導電体６２を押し上げる。これにより、導電体６２が基板６１に接触し、基板６１と導電体６２とが電気的に接続され、通電状態となる（図２０参照）。つまり、導電体６２が基板６１に接触することで、基板６１内の信号が伝達され、カメラユニット７のスイッチがオンとなる。
【０１０８】
押圧片部５４の押上部５４ｂは、弾性体６３を介して、導電体６２を押し上げる。導電体６２は、弾性体６３の上端部に取り付けられる。弾性体６３により、基板６１に接触した状態の導電体６２をさらに押し上げる力が吸収される。
【０１０９】
このように押圧片部５４を有する固定部品５０によって構成される取付部１０は、カメラユニット７がフレーム４に装着された状態となることで、カメラユニット７を通電状態とする通電機能部として、押上部５４ｂを有する。なお、押圧片部５４としては、カメラユニット７のフレーム４に対する着脱にともなう弾性変形により、機械的かつ自動的にカメラユニット７を通電状態・非通電状態とすることができる形状であればよい。
【０１１０】
本実施形態の構成によれば、カメラユニット７のフレーム４に対する着脱にともなうカメラユニット７の通電・非通電の切換えが、フレーム４を構成する材料に影響されることがない。また、第三実施形態のようにフレーム４に導電体による配線パターン等を設ける必要がないので、構造が単純である。
【０１１１】
上述した実施形態では、固定部品２０等によって構成される取付部１０は、フレーム４のフロント部１２の左右両端部にて、カメラユニット７をフレーム４に固定するが（図３参照）、取付部１０の個数や位置等は限定されない。
【０１１２】
取付部１０の好ましい配置例の一つとして、例えば、図２２に示すように、取付部１０がフレーム４のフロント部１２の左右中央部に設けられる構成が挙げられる。つまり、この構成においては、取付部１０は、フロント部１２の左右中央部にて、カメラユニット７をフレーム４に固定する。
【０１１３】
また、上述した実施形態では、カメラユニット７をフレーム４に着脱可能に固定するための取付部１０が、カメラユニット７のケーシング９とは別体の部品である固定部品２０等により構成されている。この点、取付部１０は、ケーシング９と一体の部品において形成される構成であってもよい。
【０１１４】
以上説明したように、上述した実施形態に係るカメラ固定構造によれば、以下の効果が期待できる。
【０１１５】
（１）本実施形態に係るカメラ固定構造は、使用者の頭部に装着される眼鏡型のフレーム４にカメラユニット７を固定するカメラ固定構造であって、カメラユニット７に設けられ、フレーム４が嵌合可能な間隔を隔てて対向する少なくとも一対の係止片である係止片部２２を有する取付部１０を備える。係止片部２２は、対向する係止片部２２とともにフレーム４の幅よりも狭い間隙を形成する係止爪２３を含む。取付部１０は、フレーム４への押圧作用による係止片部２２の弾性変形により、互いに対向する係止爪２３の間の間隙を介して互いに対向する係止片部２２の間にフレーム４を嵌合させ、互いに対向する係止片部２２によってフレーム４を挟み込んだ状態で、カメラユニット７をフレーム４に着脱可能に固定する。これにより、カメラユニット７の着脱作業を容易に行うことができるとともに、カメラユニット７のガタつきを抑えることができる。
【０１１６】
具体的には、カメラユニット７のフレーム４に対する固定に際し、仮にネジ等の締結具が用いられる場合、カメラユニット７の着脱作業が煩わしい。この点、本実施形態に係るカメラ固定構造によれば、カメラユニット７のフレーム４に対する押圧作用によってカメラユニット７を固定することができるので、カメラユニット７のフレーム４に対する着脱に工具等を用いる必要がなく、カメラユニット７の着脱作業を容易に行うことができる。また、本実施形態に係るカメラ固定構造によれば、取付部１０が有する一対の係止片部２２によってフレーム４が挟み込まれることでカメラユニット７が固定されるので、カメラユニット７をガタつきなくフレーム４に固定することができる。特に、本実施形態に係るカメラ固定構造によれば、眼鏡型のフレーム４という比較的細いフレームに対して、安定してカメラユニット７を固定することができる。
【０１１７】
（２）また、本実施形態のカメラ固定構造においては、取付部１０は、互いに対向する係止片部２２の間にフレーム４が嵌合した状態で弾性によりフレーム４を係止爪２３側に押圧して係止爪２３との間でフレーム４を挟持する押圧片である押圧片部２４を有する。これにより、カメラユニット７のショックを吸収することができ、カメラユニット７のガタつきをより効果的に抑えることができる。
【０１１８】
（３）また、本実施形態のカメラ固定構造においては、フレーム４は、使用者の顔を左右両側から挟む一対のテンプル部１１、及びこれら一対のテンプル部１１の一端側が連結されるフロント部１２を有し、取付部１０は、フロント部１２の左右中央部にて、カメラユニット７をフレーム４に固定する。これにより、最低限必要な構成で、かつバランス良くカメラユニット７をフレーム４に固定することができる。
【０１１９】
（４）また、本実施形態のカメラ固定構造においては、フレーム４は、使用者の顔を左右両側から挟む一対のテンプル部１１、及びこれら一対のテンプル部１１の一端側が連結されるフロント部１２を有し、取付部１０は、フロント部１２の左右両端部にて、カメラユニット７をフレーム４に固定する。これにより、シンプルな構成で、かつ安定してカメラユニット７をフレーム４に固定することができる。
【０１２０】
（５）また、本実施形態のカメラ固定構造においては、取付部１０は、カメラユニット７を構成するケーシング部材であるケーシング９との間に、カメラユニット７が有するケーブル１８を保持するための空間を形成するケーブル保持片である保持片部２５を有する。これにより、ケーブル１８の配線経路を規制することができるので、ケーブル１８が使用者の頭に当たること等を防止することができ、ＨＭＤ１の使用感を向上することができる。
【０１２１】
（６）また、本実施形態のカメラ固定構造においては、取付部１０は、カメラユニット７がフレーム４に装着された状態となることで、カメラユニット７を通電状態とする通電機能部として、例えば、フレーム４に設けられる配線パターン４２に対応する電極配線部４１を有する。これにより、カメラユニット７がフレーム４に固定されて使用されるときのみカメラユニット７がスイッチオンの状態となるので、省エネを実現することができる。
【０１２２】
（７）また、本実施形態のカメラ固定構造においては、取付部１０は、カメラユニット７とは別体の部品である固定部品２０により構成される。これにより、取付部１０が有する各部の形状の成形が容易となるとともに、カメラユニット７における取付部１０の配置の自由度を向上させることができる。
【符号の説明】
【０１２３】
１      ＨＭＤ
４      フレーム
７      カメラユニット
９      ケーシング（ケーシング部材）
１０    取付部
１１    テンプル部
１２    フロント部
２０    固定部品
２２    係止片部（係止片）
２３    係止爪
２４    押圧片部（押圧片）
２５    保持片部（ケーブル保持片）
４０    固定部品
４１    電極配線部（通電機能部）
５０    固定部品
５４    押圧片部（押圧片）
５４ｂ  押上部（通電機能部）
【図１】
2011180414.tif 000003
【図２】
2011180414.tif 000004
【図３】
2011180414.tif 000005
【図４】
2011180414.tif 000006
【図５】
2011180414.tif 000007
【図６】
2011180414.tif 000008
【図７】
2011180414.tif 000009
【図８】
2011180414.tif 000010
【図９】
2011180414.tif 000011
【図１０】
2011180414.tif 000012
【図１１】
2011180414.tif 000013
【図１２】
2011180414.tif 000014
【図１３】
2011180414.tif 000015
【図１４】
2011180414.tif 000016
【図１５】
2011180414.tif 000017
【図１６】
2011180414.tif 000018
【図１７】
2011180414.tif 000019
【図１８】
2011180414.tif 000020
【図１９】
2011180414.tif 000021
【図２０】
2011180414.tif 000022
【図２１】
2011180414.tif 000023
【図２２】
2011180414.tif 000024